(57)【要約】【課題】本発明は簡単に洗浄できるコップを開示した。【解決手段】本発明の簡単に洗浄できるコップは、コップ蓋を含み、前記コップ蓋の中には下方に開口した回転チャンバが設けられ、前記回転チャンバの中にはコップ本体が回転できるように取り付けられ、前記コップ蓋の頂壁の中には第一空きチャンバが設けられ、本発明の簡単に洗浄できるコップは反応が速く、操作が簡単で明白であり、コップの洗浄効率が高い、同時に、本発明の装置は取り外すことが簡単で、安全で信頼でき、実用性が高い。【選択図】図１
2020179116.tif 000002
【特許請求の範囲】
【請求項１】
正面視で、コップ蓋を含み、前記コップ蓋の中には下方に開口した回転チャンバが設けられ、前記回転チャンバの中にはコップ本体が回転できるように取り付けられ、前記コップ蓋の頂壁の中には第一空きチャンバが設けられ、前記第一空きチャンバの左端壁の中にはモーターが設けられ、前記モーターの右端には第一主動軸が動力が伝達できるように連結され、前記第一主動軸には第一傘歯車が固定的に設けられ、前記第一空きチャンバの底壁には第二空きチャンバが連通し設けられ、前記第二空きチャンバの底壁の中には第三空きチャンバが設けられ、前記第三空きチャンバと前記第二空きチャンバとの間には第一スプライン軸が回転できるように設けられ、前記第二空きチャンバの中の前記第一スプライン軸には前記第一傘歯車と噛み合っている第二傘歯車が固定的に設けられ、前記第三空きチャンバの中の前記第一スプライン軸には円盤が固定的に設けられ、前記第三空きチャンバの底壁の中には第四空きチャンバが設けられ、前記第四空きチャンバと前記第三空きチャンバとの間には第二スプライン軸が回転できるように設けられ、前記第一スプライン軸と前記第二スプライン軸との間にはスプラインスリーブが噛合し設けられ、前記スプラインスリーブと前記円盤の底面との間には第一バネが固定的に連結され、前記第三空きチャンバの後側端壁の中には前記第三空きチャンバと前記回転チャンバとを連通する第一スライド溝が設けられ、前記第一スライド溝の中にはスライドロッドがスライドできるように設けられ、前記スライドロッドの頂面には前記スプラインスリーブの底面と接触している長板が固定的に設けられ、前記第一スライド溝の後端壁には第二スライド溝が連通し設けられ、前記第二スライド溝の中には前記スライドロッドと固定的に連結されたスライドブロックがスライドできるように設けられ、前記スライドブロックと前記第二スライド溝の底壁との間には第二バネが固定的に連結され、前記第四空きチャンバの中の前記第二スプライン軸には第三傘歯車が固定的に設けられ、前記第四空きチャンバの右端壁の中には前記第三空きチャンバと前記回転チャンバとを連通している第五空きチャンバが設けられ、前記第五空きチャンバの右端壁の中には下方に開口した第六空きチャンバが設けられ、前記第四空きチャンバと前記第六空きチャンバとの間には第一回転軸が回転できるように設けられ、前記第四空きチャンバの中の前記第一回転軸には前記第三傘歯車と噛み合う第四傘歯車が固定的に設けられ、前記第五空きチャンバの中の前記第一回転軸には第一リールと前記第一リールの右側に位置している第二リールとが固定的に設けられ、前記第一リールには第一金属ソフトベルトが周設しており、前記第一金属ソフトベルトの右端面には第一ブラシが固定的に設けられ、前記第六空きチャンバの中の前記第一回転軸には第三リールが固定的に設けられ、前記第三リールには第二金属ソフトベルトが周設しており、前記第二金属ソフトベルトの左端面には第二ブラシが固定的に設けられ、
前記モーターが前記第一リールと前記第三リールとを回転連動させることにより、前記第一金属ソフトベルトと前記第二金属ソフトベルトを伸びさせることを特徴とする簡単に洗浄できるコップ。
【請求項２】
前記第三空きチャンバの頂壁には凹溝が連通し設けられ、前記凹溝の中には第二回転軸が回転できるように設けられ、前記第二回転軸と前記凹溝の前端壁との間にはトーションバネが固定的に連結され、前記第二回転軸には第四リールが固定的に設けられ、前記第四リールと前記第二リールとの間には第一鋼線が周設しており、前記スプラインスリーブの頂面と前記第四リールとの間には第二鋼線が周設しており、前記第三空きチャンバの左端壁の中には第七空きチャンバが設けられ、前記第七空きチャンバの中には前記モーターと動力が伝達できるように連結された第二主動軸が回転できるように設けられ、前記第二主動軸には第一プーリーが固定的に設けられ、前記第七空きチャンバと前記回転チャンバとの間には第八空きチャンバが連通し設けられ、前記第八空きチャンバの中には第三回転軸が回転できるように設けられ、前記第三回転軸には円形歯車及び前記円形歯車の右側に位置している第二プーリーが固定的に設けられ、前記第二プーリーと前記第一プーリーとの間にはベルトが設けられ、
それにより、前記モーターが前記円形歯車を回転連動させ、前記円形歯車が前記コップ蓋を回転連動させることを特徴とする請求項１に記載の簡単に洗浄できるコップ。
【請求項３】
前記コップ本体の中には水チャンバが設けられ、前記水チャンバの外側端壁には上方に開口した第一環状凹溝が設けられ、前記第一環状凹溝の底壁には前記円形歯車と噛み合うハースカップリングが固定的に設けられ、前記第一環状凹溝の底壁の中には金属円筒が設けられ、前記金属円筒の外側端壁の中には外に開口した第二環状凹溝が設けられ、前記コップ蓋の左側底面には前記第二環状凹溝と係合されたバックルが固定的に設けられ、前記水チャンバの底壁には下方に開口した第三スライド溝が設けられ、前記第三スライド溝の中には磁石ブロックがスライドできるように設けられ、前記磁石ブロックと前記第三スライド溝の頂壁との間には第三バネが連結され、
前記コップ本体が押され、前記磁石ブロックを前記コップ本体と相対的に上にスライドさせ、前記磁石ブロックと前記金属円筒とが接触することを特徴とする請求項１に記載の簡単に洗浄できるコップ。
【発明の詳細な説明】
【技術分野】
【０００１】
本発明は日常用品分野を取り上げて、具体的には簡単に洗浄できるコップである。
【背景技術】
【０００２】
普通のコップは使用された後、手動で洗浄する必要があり、冬に又は天気が年間に常に厳しく寒い地域に、手動でコップを洗った後に、体感温度が下がりやすく、更に凍傷になる可能性もあり、そのほか、長いコップの場合、手動で洗うことは他の道具を使わないとコップの底部を洗えなく、非常に不便である、
従って、簡単に洗浄できるコップを設計して上記の問題を解決する。
【先行技術文献】
【特許文献】
【０００３】
【特許文献１】中国特許出願公開第104840168号明細書
【発明の概要】
【発明が解決しようとする課題】
【０００４】
本発明の目的は簡単に洗浄できるコップを提供し、それは上記の現在の技術中の問題を解決できる。
【課題を解決するための手段】
【０００５】
本発明は以下の技術プランを通じて実現する：本発明の簡単に洗浄できるコップは、コップ蓋を含み、前記コップ蓋の中には下方に開口した回転チャンバが設けられ、前記回転チャンバの中にはコップ本体が回転できるように取り付けられ、前記コップ蓋の頂壁の中には第一空きチャンバが設けられ、前記第一空きチャンバの左端壁の中にはモーターが設けられ、前記モーターの右端には第一主動軸が動力が伝達できるように連結され、前記第一主動軸には第一傘歯車が固定的に設けられ、前記第一空きチャンバの底壁には第二空きチャンバが連通し設けられ、前記第二空きチャンバの底壁の中には第三空きチャンバが設けられ、前記第三空きチャンバと前記第二空きチャンバとの間には第一スプライン軸が回転できるように設けられ、前記第二空きチャンバの中の前記第一スプライン軸には前記第一傘歯車と噛み合っている第二傘歯車が固定的に設けられ、前記第三空きチャンバの中の前記第一スプライン軸には円盤が固定的に設けられ、前記第三空きチャンバの底壁の中には第四空きチャンバが設けられ、前記第四空きチャンバと前記第三空きチャンバとの間には第二スプライン軸が回転できるように設けられ、前記第一スプライン軸と前記第二スプライン軸との間にはスプラインスリーブが噛合し設けられ、前記スプラインスリーブと前記円盤の底面との間には第一バネが固定的に連結され、前記第三空きチャンバの後側端壁の中には前記第三空きチャンバと前記回転チャンバとを連通する第一スライド溝が設けられ、前記第一スライド溝の中にはスライドロッドがスライドできるように設けられ、前記スライドロッドの頂面には前記スプラインスリーブの底面と接触している長板が固定的に設けられ、前記第一スライド溝の後端壁には第二スライド溝が連通し設けられ、前記第二スライド溝の中には前記スライドロッドと固定的に連結されたスライドブロックがスライドできるように設けられ、前記スライドブロックと前記第二スライド溝の底壁との間には第二バネが固定的に連結され、前記第四空きチャンバの中の前記第二スプライン軸には第三傘歯車が固定的に設けられ、前記第四空きチャンバの右端壁の中には前記第三空きチャンバと前記回転チャンバとを連通している第五空きチャンバが設けられ、前記第五空きチャンバの右端壁の中には下方に開口した第六空きチャンバが設けられ、前記第四空きチャンバと前記第六空きチャンバとの間には第一回転軸が回転できるように設けられ、前記第四空きチャンバの中の前記第一回転軸には前記第三傘歯車と噛み合う第四傘歯車が固定的に設けられ、前記第五空きチャンバの中の前記第一回転軸には第一リールと前記第一リールの右側に位置している第二リールとが固定的に設けられ、前記第一リールには第一金属ソフトベルトが周設しており、前記第一金属ソフトベルトの右端面には第一ブラシが固定的に設けられ、前記第六空きチャンバの中の前記第一回転軸には第三リールが固定的に設けられ、前記第三リールには第二金属ソフトベルトが周設しており、前記第二金属ソフトベルトの左端面には第二ブラシが固定的に設けられ、
前記モーターが前記第一リールと前記第三リールとを回転連動させることにより、前記第一金属ソフトベルトと前記第二金属ソフトベルトを伸びさせる。
【０００６】
優選の技術プランとして、前記第三空きチャンバの頂壁には凹溝が連通し設けられ、前記凹溝の中には第二回転軸が回転できるように設けられ、前記第二回転軸と前記凹溝の前端壁との間にはトーションバネが固定的に連結され、前記第二回転軸には第四リールが固定的に設けられ、前記第四リールと前記第二リールとの間には第一鋼線が周設しており、前記スプラインスリーブの頂面と前記第四リールとの間には第二鋼線が周設しており、前記第三空きチャンバの左端壁の中には第七空きチャンバが設けられ、前記第七空きチャンバの中には前記モーターと動力が伝達できるように連結された第二主動軸が回転できるように設けられ、前記第二主動軸には第一プーリーが固定的に設けられ、前記第七空きチャンバと前記回転チャンバとの間には第八空きチャンバが連通し設けられ、前記第八空きチャンバの中には第三回転軸が回転できるように設けられ、前記第三回転軸には円形歯車及び前記円形歯車の右側に位置している第二プーリーが固定的に設けられ、前記第二プーリーと前記第一プーリーとの間にはベルトが設けられ、
それにより、前記モーターが前記円形歯車を回転連動させ、前記円形歯車が前記コップ蓋を回転連動させる。
【０００７】
優選の技術プランとして、前記コップ本体の中には水チャンバが設けられ、前記水チャンバの外側端壁には上方に開口した第一環状凹溝が設けられ、前記第一環状凹溝の底壁には前記円形歯車と噛み合うハースカップリングが固定的に設けられ、前記第一環状凹溝の底壁の中には金属円筒が設けられ、前記金属円筒の外側端壁の中には外に開口した第二環状凹溝が設けられ、前記コップ蓋の左側底面には前記第二環状凹溝と係合されたバックルが固定的に設けられ、前記水チャンバの底壁には下方に開口した第三スライド溝が設けられ、前記第三スライド溝の中には磁石ブロックがスライドできるように設けられ、前記磁石ブロックと前記第三スライド溝の頂壁との間には第三バネが連結され、
前記コップ本体が押され、前記磁石ブロックを前記コップ本体と相対的に上にスライドさせ、前記磁石ブロックと前記金属円筒とが接触する。
【発明の効果】
【０００８】
本発明の簡単に洗浄できるコップは反応が速く、操作が簡単で明白であり、コップの洗浄効率が高い、同時に、本発明の装置は取り外すことが簡単で、安全で信頼でき、実用性が高い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の簡単に洗浄できるコップの全体構成略図
【図２】図２は図１のＡ―Ａの構成略図
【図３】図３は図２のＢの拡大構成略図
【図４】図４は図２のＣの拡大構成略図
【発明を実施するための形態】
【００１１】
図１〜４を参照し、本発明の簡単に洗浄できるコップは、コップ蓋１０を含み、前記コップ蓋１０の中には下方に開口した回転チャンバ１９が設けられ、前記回転チャンバ１９の中にはコップ本体２４が回転できるように取り付けられ、前記コップ蓋１０の頂壁の中には第一空きチャンバ５７が設けられ、前記第一空きチャンバ５７の左端壁の中にはモーター５５が設けられ、前記モーター５５の右端には第一主動軸５８が動力が伝達できるように連結され、前記第一主動軸５８には第一傘歯車５９が固定的に設けられ、前記第一空きチャンバ５７の底壁には第二空きチャンバ５４が連通し設けられ、前記第二空きチャンバ５４の底壁の中には第三空きチャンバ３７が設けられ、前記第三空きチャンバ３７と前記第二空きチャンバ５４との間には第一スプライン軸５２が回転できるように設けられ、前記第二空きチャンバ５４の中の前記第一スプライン軸５２には前記第一傘歯車５９と噛み合っている第二傘歯車５３が固定的に設けられ、前記第三空きチャンバ３７の中の前記第一スプライン軸５２には円盤５１が固定的に設けられ、前記第三空きチャンバ３７の底壁の中には第四空きチャンバ６２が設けられ、前記第四空きチャンバ６２と前記第三空きチャンバ３７との間には第二スプライン軸４８が回転できるように設けられ、前記第一スプライン軸５２と前記第二スプライン軸４８との間にはスプラインスリーブ４９が噛合し設けられ、前記スプラインスリーブ４９と前記円盤５１の底面との間には第一バネ５０が固定的に連結され、前記第三空きチャンバ３７の後側端壁の中には前記第三空きチャンバ３７と前記回転チャンバ１９とを連通する第一スライド溝４３が設けられ、前記第一スライド溝４３の中にはスライドロッド４２がスライドできるように設けられ、前記スライドロッド４２の頂面には前記スプラインスリーブ４９の底面と接触している長板４７が固定的に設けられ、前記第一スライド溝４３の後端壁には第二スライド溝４６が連通し設けられ、前記第二スライド溝４６の中には前記スライドロッド４２と固定的に連結されたスライドブロック４５がスライドできるように設けられ、前記スライドブロック４５と前記第二スライド溝４６の底壁との間には第二バネ４４が固定的に連結され、前記第四空きチャンバ６２の中の前記第二スプライン軸４８には第三傘歯車６０が固定的に設けられ、前記第四空きチャンバ６２の右端壁の中には前記第三空きチャンバ３７と前記回転チャンバ１９とを連通している第五空きチャンバ３５が設けられ、前記第五空きチャンバ３５の右端壁の中には下方に開口した第六空きチャンバ３１が設けられ、前記第四空きチャンバ６２と前記第六空きチャンバ３１との間には第一回転軸６５が回転できるように設けられ、前記第四空きチャンバ６２の中の前記第一回転軸６５には前記第三傘歯車６０と噛み合う第四傘歯車６１が固定的に設けられ、前記第五空きチャンバ３５の中の前記第一回転軸６５には第一リール６６と前記第一リール６６の右側に位置している第二リール３０とが固定的に設けられ、前記第一リール６６には第一金属ソフトベルト６４が周設しており、前記第一金属ソフトベルト６４の右端面には第一ブラシ６３が固定的に設けられ、前記第六空きチャンバ３１の中の前記第一回転軸６５には第三リール３４が固定的に設けられ、前記第三リール３４には第二金属ソフトベルト３３が周設しており、前記第二金属ソフトベルト３３の左端面には第二ブラシ３２が固定的に設けられ、
前記モーター５５が前記第一リール６６と前記第三リール３４とを回転連動させることにより、前記第一金属ソフトベルト６４と前記第二金属ソフトベルト３３を伸びさせる。
【００１２】
有益的には、前記第三空きチャンバ３７の頂壁には凹溝４１が連通し設けられ、前記凹溝４１の中には第二回転軸３８が回転できるように設けられ、前記第二回転軸３８と前記凹溝４１の前端壁との間にはトーションバネ３９が固定的に連結され、前記第二回転軸３８には第四リール４０が固定的に設けられ、前記第四リール４０と前記第二リール３０との間には第一鋼線３６が周設しており、前記スプラインスリーブ４９の頂面と前記第四リール４０との間には第二鋼線５６が周設しており、前記第三空きチャンバ３７の左端壁の中には第七空きチャンバ１３が設けられ、前記第七空きチャンバ１３の中には前記モーター５５と動力が伝達できるように連結された第二主動軸１２が回転できるように設けられ、前記第二主動軸１２には第一プーリー１１が固定的に設けられ、前記第七空きチャンバ１３と前記回転チャンバ１９との間には第八空きチャンバ１５が連通し設けられ、前記第八空きチャンバ１５の中には第三回転軸１７が回転できるように設けられ、前記第三回転軸１７には円形歯車１６及び前記円形歯車１６の右側に位置している第二プーリー１８が固定的に設けられ、前記第二プーリー１８と前記第一プーリー１１との間にはベルト１４が設けられ、
それにより、前記モーター５５が前記円形歯車１６を回転連動させ、前記円形歯車１６が前記コップ蓋１０を回転連動させる。
【００１３】
有益的には、前記コップ本体２４の中には水チャンバ２９が設けられ、前記水チャンバ２９の外側端壁には上方に開口した第一環状凹溝２０が設けられ、前記第一環状凹溝２０の底壁には前記円形歯車１６と噛み合うハースカップリング２１が固定的に設けられ、前記第一環状凹溝２０の底壁の中には金属円筒２５が設けられ、前記金属円筒２５の外側端壁の中には外に開口した第二環状凹溝２３が設けられ、前記コップ蓋１０の左側底面には前記第二環状凹溝２３と係合されたバックル２２が固定的に設けられ、前記水チャンバ２９の底壁には下方に開口した第三スライド溝２６が設けられ、前記第三スライド溝２６の中には磁石ブロック２７がスライドできるように設けられ、前記磁石ブロック２７と前記第三スライド溝２６の頂壁との間には第三バネ２８が連結され、
前記コップ本体２４が押され、前記磁石ブロック２７を前記コップ本体２４と相対的に上にスライドさせ、前記磁石ブロック２７と前記金属円筒２５とが接触する。
【００１４】
以下、図及び上記説明下本発明の簡単に洗浄できるコップの具体的な構成を参照し、本発明の簡単に洗浄できるコップの使用方法を説明する：
【００１５】
コップ蓋１０をコップ本体２４の頂端にかけ、そしてモーター５５を作動させ、第一主動軸５８と第二主動軸１２を回転連動させ、第一主動軸５８が第一傘歯車５９を回転連動させ、第一傘歯車５９が第二傘歯車５３と第一スプライン軸５２とを回転連動させ、第一スプライン軸５２が第二スプライン軸４８を回転連動させ、第二スプライン軸４８が第三傘歯車６０を回転連動させ、第三傘歯車６０が第四傘歯車６１を回転連動させ、第一リール６６、第二リール３０及び第三リール３４が回転し、これにより第一金属ソフトベルト６４と第一ブラシ６３が下へ伸び、同時に第二リール３０が回転して第一鋼線３６を引き、第四リール４０が回転して第二鋼線５６を引き、スプラインスリーブ４９が徐々に上にスライドする。
【００１６】
スプラインスリーブ４９と第二スプライン軸４８とが噛合状態から離脱し、かつ第二金属ソフトベルト３３と第一金属ソフトベルト６４とが下に伸びていなくなることを観察した時、コップ蓋１０を押し、円形歯車１６とハースカップリング２１とが噛み合い、第二主動軸１２が第一プーリー１１を回転連動させ、第一プーリー１１が第二プーリー１８と円形歯車１６とを回転連動させ、コップ蓋１０がコップ本体２４を中心に回転する。
【００１７】
同時にコップ本体２４が押され、磁石ブロック２７と金属円筒２５とが接触し、金属円筒２５が磁力を生じて第二金属ソフトベルト３３と第一金属ソフトベルト６４とを吸い、第一ブラシ６３と第二ブラシ３２とがコップ内外に対し回転し洗浄する。
【００１８】
以上のようにして、本発明の簡単に洗浄できるコップは反応が速く、操作が簡単で明白であり、コップの洗浄効率が高い、同時に、本発明の装置は取り外すことが簡単で、安全で信頼でき、実用性が高い。
【００１９】
以上に述べたのはただ本発明の具体的な実施方式で、本発明の保護範囲はここに限らないである。全部の創造的な労働を通じなく思いついた変化と取替は本発明の保護範囲にカバーされる。
【図１】
2020179116.tif 000003
【図２】
2020179116.tif 000004
【図３】
2020179116.tif 000005
【図４】
2020179116.tif 000006
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
正面視で、コップ蓋を含み、前記コップ蓋の中には下方に開口した回転チャンバが設けられ、前記回転チャンバの中にはコップ本体が回転できるように取り付けられ、前記コップ蓋の頂壁の中には第一空きチャンバが設けられ、前記第一空きチャンバの左端壁の中にはモーターが設けられ、前記モーターの右端には第一主動軸が動力が伝達できるように連結され、前記第一主動軸には第一傘歯車が固定的に設けられ、前記第一空きチャンバの底壁には第二空きチャンバが連通し設けられ、前記第二空きチャンバの底壁の中には第三空きチャンバが設けられ、前記第三空きチャンバと前記第二空きチャンバとの間には第一スプライン軸が回転できるように設けられ、前記第二空きチャンバの中の前記第一スプライン軸には前記第一傘歯車と噛み合っている第二傘歯車が固定的に設けられ、前記第三空きチャンバの中の前記第一スプライン軸には円盤が固定的に設けられ、前記第三空きチャンバの底壁の中には第四空きチャンバが設けられ、前記第四空きチャンバと前記第三空きチャンバとの間には第二スプライン軸が回転できるように設けられ、前記第一スプライン軸と前記第二スプライン軸との間にはスプラインスリーブが噛合し設けられ、前記スプラインスリーブと前記円盤の底面との間には第一バネが固定的に連結され、前記第三空きチャンバの後側端壁の中には前記第三空きチャンバと前記回転チャンバとを連通する第一スライド溝が設けられ、前記第一スライド溝の中にはスライドロッドがスライドできるように設けられ、前記スライドロッドの頂面には前記スプラインスリーブの底面と接触している長板が固定的に設けられ、前記第一スライド溝の後端壁には第二スライド溝が連通し設けられ、前記第二スライド溝の中には前記スライドロッドと固定的に連結されたスライドブロックがスライドできるように設けられ、前記スライドブロックと前記第二スライド溝の底壁との間には第二バネが固定的に連結され、前記第四空きチャンバの中の前記第二スプライン軸には第三傘歯車が固定的に設けられ、前記第四空きチャンバの右端壁の中には前記第三空きチャンバと前記回転チャンバとを連通している第五空きチャンバが設けられ、前記第五空きチャンバの右端壁の中には下方に開口した第六空きチャンバが設けられ、前記第四空きチャンバと前記第六空きチャンバとの間には第一回転軸が回転できるように設けられ、前記第四空きチャンバの中の前記第一回転軸には前記第三傘歯車と噛み合う第四傘歯車が固定的に設けられ、前記第五空きチャンバの中の前記第一回転軸には第一リールと前記第一リールの右側に位置している第二リールとが固定的に設けられ、前記第一リールには第一金属ソフトベルトが周設しており、前記第一金属ソフトベルトの右端面には第一ブラシが固定的に設けられ、前記第六空きチャンバの中の前記第一回転軸には第三リールが固定的に設けられ、前記第三リールには第二金属ソフトベルトが周設しており、前記第二金属ソフトベルトの左端面には第二ブラシが固定的に設けられ、
前記モーターが前記第一リールと前記第三リールとを回転連動させることにより、前記第一金属ソフトベルトと前記第二金属ソフトベルトを伸びさせ、
前記第三空きチャンバの頂壁には凹溝が連通し設けられ、前記凹溝の中には第二回転軸が回転できるように設けられ、前記第二回転軸と前記凹溝の前端壁との間にはトーションバネが固定的に連結され、前記第二回転軸には第四リールが固定的に設けられ、前記第四リールと前記第二リールとの間には第一鋼線が周設しており、前記スプラインスリーブの頂面と前記第四リールとの間には第二鋼線が周設しており、前記第三空きチャンバの左端壁の中には第七空きチャンバが設けられ、前記第七空きチャンバの中には前記モーターと動力が伝達できるように連結された第二主動軸が回転できるように設けられ、前記第二主動軸には第一プーリーが固定的に設けられ、前記第七空きチャンバと前記回転チャンバとの間には第八空きチャンバが連通し設けられ、前記第八空きチャンバの中には第三回転軸が回転できるように設けられ、前記第三回転軸には円形歯車及び前記円形歯車の右側に位置している第二プーリーが固定的に設けられ、前記第二プーリーと前記第一プーリーとの間にはベルトが設けられ、
それにより、前記モーターが前記円形歯車を回転連動させ、前記円形歯車が前記コップ蓋を回転連動させ、
前記コップ本体の中には水チャンバが設けられ、前記水チャンバの外側端壁には上方に開口した第一環状凹溝が設けられ、前記第一環状凹溝の底壁には前記円形歯車と噛み合うハースカップリングが固定的に設けられ、前記第一環状凹溝と前記ハースカップリングによって形成された全体の下方には金属円筒が設けられ、前記金属円筒の外側端壁の中には外に開口した第二環状凹溝が設けられ、前記コップ蓋の左側底面には前記第二環状凹溝と係合されたバックルが固定的に設けられ、前記水チャンバの底壁には下方に開口した第三スライド溝が設けられ、前記第三スライド溝の中には磁石ブロックがスライドできるように設けられ、前記磁石ブロックと前記第三スライド溝の頂壁との間には第三バネが連結され、
前記コップ本体が押され、前記磁石ブロックを前記コップ本体と相対的に上にスライドさせ、前記磁石ブロックと前記金属円筒とが接触することを特徴とする簡単に洗浄できるコップ。
【手続補正２】
【補正対象書類名】明細書
【補正対象項目名】全文
【補正方法】変更
【補正の内容】
【発明の詳細な説明】
【技術分野】
【０００１】
本発明は日常用品分野を取り上げて、具体的には簡単に洗浄できるコップである。
【背景技術】
【０００２】
普通のコップは使用された後、手動で洗浄する必要があり、冬に又は天気が年間に常に厳しく寒い地域に、手動でコップを洗った後に、体感温度が下がりやすく、更に凍傷になる可能性もあり、そのほか、長いコップの場合、手動で洗うことは他の道具を使わないとコップの底部を洗えなく、非常に不便である、
従って、簡単に洗浄できるコップを設計して上記の問題を解決する。
【先行技術文献】
【特許文献】
【０００３】
【特許文献１】中国特許出願公開第１０４８４０１６８号明細書
【発明の概要】
【発明が解決しようとする課題】
【０００４】
本発明の目的は簡単に洗浄できるコップを提供し、それは上記の現在の技術中の問題を解決できる。
【課題を解決するための手段】
【０００５】
本発明は以下の技術プランを通じて実現する：本発明の簡単に洗浄できるコップは、コッ
プ蓋を含み、前記コップ蓋の中には下方に開口した回転チャンバが設けられ、前記回転チャンバの中にはコップ本体が回転できるように取り付けられ、前記コップ蓋の頂壁の中には第一空きチャンバが設けられ、前記第一空きチャンバの左端壁の中にはモーターが設けられ、前記モーターの右端には第一主動軸が動力が伝達できるように連結され、前記第一主動軸には第一傘歯車が固定的に設けられ、前記第一空きチャンバの底壁には第二空きチャンバが連通し設けられ、前記第二空きチャンバの底壁の中には第三空きチャンバが設けられ、前記第三空きチャンバと前記第二空きチャンバとの間には第一スプライン軸が回転できるように設けられ、前記第二空きチャンバの中の前記第一スプライン軸には前記第一傘歯車と噛み合っている第二傘歯車が固定的に設けられ、前記第三空きチャンバの中の前記第一スプライン軸には円盤が固定的に設けられ、前記第三空きチャンバの底壁の中には第四空きチャンバが設けられ、前記第四空きチャンバと前記第三空きチャンバとの間には第二スプライン軸が回転できるように設けられ、前記第一スプライン軸と前記第二スプライン軸との間にはスプラインスリーブが噛合し設けられ、前記スプラインスリーブと前記円盤の底面との間には第一バネが固定的に連結され、前記第三空きチャンバの後側端壁の中には前記第三空きチャンバと前記回転チャンバとを連通する第一スライド溝が設けられ、前記第一スライド溝の中にはスライドロッドがスライドできるように設けられ、前記スライドロッドの頂面には前記スプラインスリーブの底面と接触している長板が固定的に設けられ、前記第一スライド溝の後端壁には第二スライド溝が連通し設けられ、前記第二スライド溝の中には前記スライドロッドと固定的に連結されたスライドブロックがスライドできるように設けられ、前記スライドブロックと前記第二スライド溝の底壁との間には第二バネが固定的に連結され、前記第四空きチャンバの中の前記第二スプライン軸には第三傘歯車が固定的に設けられ、前記第四空きチャンバの右端壁の中には前記第三空きチャンバと前記回転チャンバとを連通している第五空きチャンバが設けられ、前記第五空きチャンバの右端壁の中には下方に開口した第六空きチャンバが設けられ、前記第四空きチャンバと前記第六空きチャンバとの間には第一回転軸が回転できるように設けられ、前記第四空きチャンバの中の前記第一回転軸には前記第三傘歯車と噛み合う第四傘歯車が固定的に設けられ、前記第五空きチャンバの中の前記第一回転軸には第一リールと前記第一リールの右側に位置している第二リールとが固定的に設けられ、前記第一リールには第一金属ソフトベルトが周設しており、前記第一金属ソフトベルトの右端面には第一ブラシが固定的に設けられ、前記第六空きチャンバの中の前記第一回転軸には第三リールが固定的に設けられ、前記第三リールには第二金属ソフトベルトが周設しており、前記第二金属ソフトベルトの左端面には第二ブラシが固定的に設けられ、
前記モーターが前記第一リールと前記第三リールとを回転連動させることにより、前記第一金属ソフトベルトと前記第二金属ソフトベルトを伸びさせる。
【０００６】
優選の技術プランとして、前記第三空きチャンバの頂壁には凹溝が連通し設けられ、前記凹溝の中には第二回転軸が回転できるように設けられ、前記第二回転軸と前記凹溝の前端壁との間にはトーションバネが固定的に連結され、前記第二回転軸には第四リールが固定的に設けられ、前記第四リールと前記第二リールとの間には第一鋼線が周設しており、前記スプラインスリーブの頂面と前記第四リールとの間には第二鋼線が周設しており、前記第三空きチャンバの左端壁の中には第七空きチャンバが設けられ、前記第七空きチャンバの中には前記モーターと動力が伝達できるように連結された第二主動軸が回転できるように設けられ、前記第二主動軸には第一プーリーが固定的に設けられ、前記第七空きチャンバと前記回転チャンバとの間には第八空きチャンバが連通し設けられ、前記第八空きチャンバの中には第三回転軸が回転できるように設けられ、前記第三回転軸には円形歯車及び前記円形歯車の右側に位置している第二プーリーが固定的に設けられ、前記第二プーリーと前記第一プーリーとの間にはベルトが設けられ、
それにより、前記モーターが前記円形歯車を回転連動させ、前記円形歯車が前記コップ蓋を回転連動させる。
【０００７】
優選の技術プランとして、前記コップ本体の中には水チャンバが設けられ、前記水チャンバの外側端壁には上方に開口した第一環状凹溝が設けられ、前記第一環状凹溝の底壁には前記円形歯車と噛み合うハースカップリングが固定的に設けられ、前記第一環状凹溝と前記ハースカップリングによって形成された全体の下方には金属円筒が設けられ、前記金属円筒の外側端壁の中には外に開口した第二環状凹溝が設けられ、前記コップ蓋の左側底面には前記第二環状凹溝と係合されたバックルが固定的に設けられ、前記水チャンバの底壁には下方に開口した第三スライド溝が設けられ、前記第三スライド溝の中には磁石ブロックがスライドできるように設けられ、前記磁石ブロックと前記第三スライド溝の頂壁との間には第三バネが連結され、
前記コップ本体が押され、前記磁石ブロックを前記コップ本体と相対的に上にスライドさせ、前記磁石ブロックと前記金属円筒とが接触する。
【発明の効果】
【０００８】
本発明の簡単に洗浄できるコップは反応が速く、操作が簡単で明白であり、コップの洗浄効率が高い、同時に、本発明の装置は取り外すことが簡単で、安全で信頼でき、実用性が高い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の簡単に洗浄できるコップの全体構成略図
【図２】図２は図１のＡ―Ａの構成略図
【図３】図３は図２のＢの拡大構成略図
【図４】図４は図２のＣの拡大構成略図
【発明を実施するための形態】
【００１１】
図１〜４を参照し、本発明の簡単に洗浄できるコップは、コップ蓋１０を含み、前記コッ
プ蓋１０の中には下方に開口した回転チャンバ１９が設けられ、前記回転チャンバ１９の中にはコップ本体２４が回転できるように取り付けられ、前記コップ蓋１０の頂壁の中には第一空きチャンバ５７が設けられ、前記第一空きチャンバ５７の左端壁の中にはモーター５５が設けられ、前記モーター５５の右端には第一主動軸５８が動力が伝達できるように連結され、前記第一主動軸５８には第一傘歯車５９が固定的に設けられ、前記第一空きチャンバ５７の底壁には第二空きチャンバ５４が連通し設けられ、前記第二空きチャンバ５４の底壁の中には第三空きチャンバ３７が設けられ、前記第三空きチャンバ３７と前記第二空きチャンバ５４との間には第一スプライン軸５２が回転できるように設けられ、前記第二空きチャンバ５４の中の前記第一スプライン軸５２には前記第一傘歯車５９と噛み合っている第二傘歯車５３が固定的に設けられ、前記第三空きチャンバ３７の中の前記第一スプライン軸５２には円盤５１が固定的に設けられ、前記第三空きチャンバ３７の底壁の中には第四空きチャンバ６２が設けられ、前記第四空きチャンバ６２と前記第三空きチャンバ３７との間には第二スプライン軸４８が回転できるように設けられ、前記第一スプライン軸５２と前記第二スプライン軸４８との間にはスプラインスリーブ４９が噛合し設けられ、前記スプラインスリーブ４９と前記円盤５１の底面との間には第一バネ５０が固定的に連結され、前記第三空きチャンバ３７の後側端壁の中には前記第三空きチャンバ３７と前記回転チャンバ１９とを連通する第一スライド溝４３が設けられ、前記第一スライド溝４３の中にはスライドロッド４２がスライドできるように設けられ、前記スライドロッド４２の頂面には前記スプラインスリーブ４９の底面と接触している長板４７が固定的に設けられ、前記第一スライド溝４３の後端壁には第二スライド溝４６が連通し設けられ、前記第二スライド溝４６の中には前記スライドロッド４２と固定的に連結されたスライドブロック４５がスライドできるように設けられ、前記スライドブロック４５と前記第二スライド溝４６の底壁との間には第二バネ４４が固定的に連結され、前記第四空きチャンバ６２の中の前記第二スプライン軸４８には第三傘歯車６０が固定的に設けられ、前記第四空きチャンバ６２の右端壁の中には前記第三空きチャンバ３７と前記回転チャンバ１９とを連通している第五空きチャンバ３５が設けられ、前記第五空きチャンバ３５の右端壁の中には下方に開口した第六空きチャンバ３１が設けられ、前記第四空きチャンバ６２と前記第六空きチャンバ３１との間には第一回転軸６５が回転できるように設けられ、前記第四空きチャンバ６２の中の前記第一回転軸６５には前記第三傘歯車６０と噛み合う第四傘歯車６１が固定的に設けられ、前記第五空きチャンバ３５の中の前記第一回転軸６５には第一リール６６と前記第一リール６６の右側に位置している第二リール３０とが固定的に設けられ、前記第一リール６６には第一金属ソフトベルト６４が周設しており、前記第一金属ソフトベルト６４の右端面には第一ブラシ６３が固定的に設けられ、前記第六空きチャンバ３１の中の前記第一回転軸６５には第三リール３４が固定的に設けられ、前記第三リール３４には第二金属ソフトベルト３３が周設しており、前記第二金属ソフトベルト３３の左端面には第二ブラシ３２が固定的に設けられ、
前記モーター５５が前記第一リール６６と前記第三リール３４とを回転連動させることにより、前記第一金属ソフトベルト６４と前記第二金属ソフトベルト３３を伸びさせる。
【００１２】
有益的には、前記第三空きチャンバ３７の頂壁には凹溝４１が連通し設けられ、前記凹溝４１の中には第二回転軸３８が回転できるように設けられ、前記第二回転軸３８と前記凹溝４１の前端壁との間にはトーションバネ３９が固定的に連結され、前記第二回転軸３８には第四リール４０が固定的に設けられ、前記第四リール４０と前記第二リール３０との間には第一鋼線３６が周設しており、前記スプラインスリーブ４９の頂面と前記第四リール４０との間には第二鋼線５６が周設しており、前記第三空きチャンバ３７の左端壁の中には第七空きチャンバ１３が設けられ、前記第七空きチャンバ１３の中には前記モーター５５と動力が伝達できるように連結された第二主動軸１２が回転できるように設けられ、前記第二主動軸１２には第一プーリー１１が固定的に設けられ、前記第七空きチャンバ１３と前記回転チャンバ１９との間には第八空きチャンバ１５が連通し設けられ、前記第八空きチャンバ１５の中には第三回転軸１７が回転できるように設けられ、前記第三回転軸１７には円形歯車１６及び前記円形歯車１６の右側に位置している第二プーリー１８が固定的に設けられ、前記第二プーリー１８と前記第一プーリー１１との間にはベルト１４が設けられ、
それにより、前記モーター５５が前記円形歯車１６を回転連動させ、前記円形歯車１６が前記コップ蓋１０を回転連動させる。
【００１３】
有益的には、前記コップ本体２４の中には水チャンバ２９が設けられ、前記水チャンバ２９の外側端壁には上方に開口した第一環状凹溝２０が設けられ、前記第一環状凹溝２０の底壁には前記円形歯車１６と噛み合うハースカップリング２１が固定的に設けられ、前記第一環状凹溝２０と前記ハースカップリング２１によって形成された全体の下方には金属円筒２５が設けられ、前記金属円筒２５の外側端壁の中には外に開口した第二環状凹溝２３が設けられ、前記コップ蓋１０の左側底面には前記第二環状凹溝２３と係合されたバックル２２が固定的に設けられ、前記水チャンバ２９の底壁には下方に開口した第三スライド溝２６が設けられ、前記第三スライド溝２６の中には磁石ブロック２７がスライドできるように設けられ、前記磁石ブロック２７と前記第三スライド溝２６の頂壁との間には第三バネ２８が連結され、
前記コップ本体２４が押され、前記磁石ブロック２７を前記コップ本体２４と相対的に上にスライドさせ、前記磁石ブロック２７と前記金属円筒２５とが接触する。
【００１４】
以下、図及び上記説明下本発明の簡単に洗浄できるコップの具体的な構成を参照し、本発明の簡単に洗浄できるコップの使用方法を説明する：
【００１５】
コップ蓋１０をコップ本体２４の頂端にかけ、そしてモーター５５を作動させ、第一主動軸５８と第二主動軸１２を回転連動させ、第一主動軸５８が第一傘歯車５９を回転連動させ、第一傘歯車５９が第二傘歯車５３と第一スプライン軸５２とを回転連動させ、第一スプライン軸５２が第二スプライン軸４８を回転連動させ、第二スプライン軸４８が第三傘歯車６０を回転連動させ、第三傘歯車６０が第四傘歯車６１を回転連動させ、第一リール６６、第二リール３０及び第三リール３４が回転し、これにより第一金属ソフトベルト６４と第一ブラシ６３が下へ伸び、同時に第二リール３０が回転して第一鋼線３６を引き、第四リール４０が回転して第二鋼線５６を引き、スプラインスリーブ４９が徐々に上にスライドする。
【００１６】
スプラインスリーブ４９と第二スプライン軸４８とが噛合状態から離脱し、かつ第二金属ソフトベルト３３と第一金属ソフトベルト６４とが下に伸びていなくなることを観察した時、コップ蓋１０を押し、円形歯車１６とハースカップリング２１とが噛み合い、第二主動軸１２が第一プーリー１１を回転連動させ、第一プーリー１１が第二プーリー１８と円形歯車１６とを回転連動させ、コップ蓋１０がコップ本体２４を中心に回転する。
【００１７】
同時にコップ本体２４が押され、磁石ブロック２７と金属円筒２５とが接触し、金属円筒２５が磁力を生じて第二金属ソフトベルト３３と第一金属ソフトベルト６４とを吸い、第一ブラシ６３と第二ブラシ３２とがコップ内外に対し回転し洗浄する。
【００１８】
以上のようにして、本発明の簡単に洗浄できるコップは反応が速く、操作が簡単で明白であり、コップの洗浄効率が高い、同時に、本発明の装置は取り外すことが簡単で、安全で信頼でき、実用性が高い。
【００１９】
以上に述べたのはただ本発明の具体的な実施方式で、本発明の保護範囲はここに限らないである。全部の創造的な労働を通じなく思いついた変化と取替は本発明の保護範囲にカバーされる。